(57)【要約】【課題】所望の位置に所望の厚みを形成することができる真空断熱材用芯材を提供する。【解決手段】ガスバリア性を有する外被材１の中に収納されスペーサとなる真空断熱材用芯材１００であって、板状の第一の芯材２と、第一の芯材２に積層される第二の芯材３とを備え、第一の芯材２が凹部を有し、第二の芯材３が第一の芯材２の凹部５に嵌合し得る大きさを有し、凹部５に第二の芯材３が嵌合されて第一の芯材２と第二の芯材３とが積層される。【選択図】図２
2013119878.tif 000002
【特許請求の範囲】
【請求項１】
ガスバリア性を有する袋状の外被材の中に収納されスペーサとなる真空断熱材用芯材であって、
板状の第一の芯材と、
前記第一の芯材に積層される第二の芯材とを備え、
前記第一の芯材が凹部を有し、前記第二の芯材が前記第一の芯材の前記凹部に嵌合し得る大きさを有し、前記凹部に前記第二の芯材が嵌合されて積層されてなることを特徴とする真空断熱材用芯材。
【請求項２】
前記第一及び第二の芯材は、可撓性を有し、積層方向に対して垂直な方向に繊維が配向した繊維積層体で構成されることを特徴とする請求項1に記載の真空断熱材用芯材。
【請求項３】
前記第一の芯材を一定厚さに圧縮するときの圧縮荷重が、前記第二の芯材を前記一定厚さに圧縮する圧縮荷重よりも大きいことを特徴とする請求項1又は２記載の真空断熱材用芯材。
【請求項４】
ガスバリア性を有する袋状の外被材と、
前記外被材の中に収納されスペーサとなる、板状の第一の芯材及び前記第一の芯材に積層される第二の芯材を備え、第一の芯材が凹部を有し、前記第二の芯材が前記第一の芯材の前記凹部に嵌合し得る大きさを有してなる真空断熱材用芯材と、を備え、
前記真空断熱材用芯材を前記外被材の中に収納した後に前記外被材内部を略真空状態にして前記外被材を封止してなり、
前記真空断熱材用芯材は、前記凹部に前記第二の芯材が嵌合されて積層されることを特徴とする真空断熱材。
【請求項５】
ガスバリア性を有する袋状の外被材と、
前記外被材の中に収納されスペーサとなる、板状の第一の芯材及び前記第一の芯材に積層される第二の芯材を備え、第一の芯材が凹部を有し、前記第二の芯材が前記第一の芯材の前記凹部に嵌合し得る大きさを有し、前記凹部に前記第二の芯材が嵌合されて第一の芯材と前記第二の芯材とが移動不能に積層されてなる真空断熱材用芯材と、を備え、
前記真空断熱材用芯材を外被材の中に収納した後に減圧下で前記外被材内部を略真空状態にして前記外被材を封止し、前記第一の芯材及び前記第二の芯材を内包して封止された前記外被材を減圧下から大気圧雰囲気中に移して外形を整形することを特徴とする真空断熱材。
【請求項６】
外形を整形することが、前記第二の芯材と積層していない前記第一の芯材の非積層部分を、前記第一の芯材の前記凹部から突出している前記第二の芯材の突出部分が消滅するように変形させて、前記第一の芯材の前記凹部と前記第二の芯材との凹凸嵌合側において前記第一の芯材と前記第二の芯材とを面一にし、前記第一の芯材と前記第二の芯材とを面一にすることにより前記凹凸嵌合側と背向する側において前記第一の芯材が前記非積層部分から第二の芯材との積層部分に向かってなだらかに変化する傾斜面を形成することを特徴とする請求項５記載の真空断熱材。
【請求項７】
前記第一の芯材を一定厚さに圧縮するときの圧縮荷重が、前記第二の芯材を前記一定厚さに圧縮する圧縮荷重よりも大きいことを特徴とする請求項４乃至６いずれかに記載の真空断熱材。
【請求項８】
請求項４乃至７のいずれかに記載の真空断熱材が、外箱と内箱との間に配設されることを特徴とする冷蔵庫。
【請求項９】
冷蔵温度帯に設定される冷蔵室と、冷凍温度帯に設定される冷凍室とを少なくとも有してなり、前記真空断熱材の前記第一の芯材と前記第二の芯材とが積層している厚肉部を前記冷凍室側に配置し、前記真空断熱材の第一の芯材のみで構成される薄肉部を前記冷蔵室側に配置することを特徴とする請求項８記載の冷蔵庫。
【請求項１０】
少なくとも庫内照明、電気基板及び圧縮機またはその収納部を、前記真空断熱材の前記第一の芯材と前記第二の芯材とを積層する部位で前記部位の周囲より厚みが小なる積層薄肉部に対応して外箱及び／又は内箱に形成される収納空間内に配置することを特徴とする請求項８又は９記載の冷蔵庫。
【請求項１１】
外箱と内箱の間に存在する突起部分、冷媒配管及び電気配線のいずれか一つ以上を、前記収納空間内に配置することを特徴とする請求項１０記載の冷蔵庫。
【請求項１２】
前記真空断熱材が少なくとも側面又は背面に1枚ずつ配設され、前記冷凍室に配置する前記真空断熱材の厚さは前記冷蔵室に配置する前記真空断熱材の厚さより厚いものとし、前記外箱と前記内箱との間に設定される発泡ウレタン流動経路を確保しながら、前記内箱と前記外箱の間において各室における側面または背面に対応する位置に前記真空断熱材で配置することを特徴とする請求項８乃至１１のいずれかに記載の冷蔵庫。
【請求項１３】
前記外被材の中に収納されスペーサとなる、板状の第一の芯材及び前記第一の芯材に積層される第二の芯材を備え、第一の芯材が凹部を有し、前記第二の芯材が前記第一の芯材の前記凹部に嵌合し得る大きさを有し、前記凹部に前記第二の芯材が嵌合されて第一の芯材と前記第二の芯材とが移動不能に積層されてなる真空断熱材用芯材をガスバリア性を有する袋状の外被材内に挿入する第一ステップと、
前記真空断熱材用芯材を前記外被材の中に収納した後に減圧下で前記外被材内部を略真空状態にして前記外被材を封止する第二ステップと、
前記第一の芯材及び前記第二の芯材を内包して封止された前記外被材を減圧下から大気圧雰囲気中に移して外形を整形する第三ステップと、を備えてなることを特徴とする真空断熱材の製造方法。
【請求項１４】
前記第三ステップが、前記第二の芯材と積層されていない前記第一の芯材の非積層部分を、前記第一の芯材の前記凹部から突出している前記第二の芯材の突出部分が消滅するように変形させて、前記第一の芯材の前記凹部と前記第二の芯材との凹凸嵌合側において前記第一の芯材と前記第二の芯材とを面一にし、前記第一の芯材と前記第二の芯材とを面一にすることにより前記凹凸嵌合側と背向する側において前記第一の芯材が前記非積層部分から前記第二の芯材との積層部分に向かってなだらかに変化する傾斜面を形成することを特徴とする請求項１３記載の真空断熱材の製造方法。
【発明の詳細な説明】
【技術分野】
【０００１】
本発明は、冷蔵庫等の家電製品等に使用可能な真空断熱材、その真空断熱材用芯材及びその真空断熱材を適用した冷蔵庫に関するもので、特に部分的に厚みの異なる真空断熱材用芯材、その真空断熱材用芯材を用いる真空断熱材及びその真空断熱材を適用した冷蔵庫に関するものである。
【背景技術】
【０００２】
従来、冷蔵室、冷凍室さらには野菜室のように室内温度が異なる収納空間を有する冷蔵庫にあっては、壁面の薄肉化を図るために、各室を形成している壁の厚みを異ならせる構成を採用することがある。この場合、壁内に入れる断熱材の厚みも、壁厚に対応させて調整するものである。近年にあっては、芯材を袋状の外被材の中に入れ、外被材内を真空にして芯材を封止する真空断熱材が、冷蔵庫用の断熱材として普及してきている。
【０００３】
このような真空断熱材において、例えば特許文献１のもののように、複数枚の大きさの異なる平板状の有機発泡体を芯材とし、厚み方向に芯材を重ねて部分的に厚みが異なる構成のものが知られている。この特許文献１のものでは、有機発泡体の平板を平らな面同士を接触させて重ね合わせ、重ね合わせた芯材を袋状の外被材の中に入れ、その外被材内を真空状態にして真空断熱材を製造するものである。この芯材が入った外被材の内部を真空状態にする場合に、外被材が重ね合わせた芯材に作用することで重ね合わせた芯材の相対位置が外被材内を真空状態にする前と相違する場合がある。つまり、例えば冶具等を使用しないと芯材同士の位置決めが難しく、真空状態にする際の作業性が良好ではなかった。また、芯材の有機発泡体が固いため、真空包装時の外被材の芯材に対する追従性が悪く、外被材の伸縮が大きくなることによるガスバリア性の低下や真空破壊によるリークの懸念があった。
【０００４】
また、特許文献２のものは、容易に可撓性を付与するために、圧縮成型により真空断熱材に溝を形成する構成を示している。しかしながら、このような構成では、溝における芯材及び外被材へのダメージが大きく、繊維の破断や外被材の大きな伸縮により、断熱性能が低下する懸念があった。
【０００５】
さらにまた、特許文献３のものは、真空断熱パネルを断熱空間の厚み方向に対して２枚以上重ね合わせて配設する構成で、外壁を通して侵入する熱が、外被材を通して真空断熱材の外壁とは反対の面に熱が回り込む、いわゆるヒートブリッジが発生することがある。このようにヒートブリッジが発生すると、それにより断熱性能が低下する懸念があった。また、真空断熱パネルを２枚以上使用することから、コストがアップするという課題があった。
【先行技術文献】
【特許文献】
【０００６】
【特許文献１】実開平１−５８０８７号公報
【特許文献２】特開２００１−３３６６９１号公報
【特許文献３】特開２００５−１４７５９１号公報
【発明の概要】
【発明が解決しようとする課題】
【０００７】
そこで本発明は、上記問題点を一挙に解決すべく、少なくとも二枚の芯材を重ね合わせて部分的に厚みの異なる真空断熱材を製造する際に、重ね合わせた芯材同士の位置ずれを抑えて容易に所望の形状に成形することをその主たる所期課題とするものである。
【課題を解決するための手段】
【０００８】
すなわち本発明に係る真空断熱材用芯材は、ガスバリア性を有する袋状の外被材の中に収納されスペーサとなる真空断熱材用芯材であって、板状の第一の芯材と、前記第一の芯材に積層される第二の芯材とを備え、前記第一の芯材が凹部を有し、前記第二の芯材が前記第一の芯材の前記凹部に嵌合されて積層されてなることを特徴とする。
【０００９】
このような構成によれば、第一の芯材の凹部に第二の芯材を嵌合させて両者を積層することにより、第一の芯材と第二の芯材との相対的な位置決めを行う。従って、第一の芯材と第二の芯材とを積層する際の、第一の芯材と第二の芯材との位置決めが容易になり、作製作業時における積層ズレが起こしにくくなるので、寸法精度や作業性を向上させることができる。
【００１０】
外被材の追従性を改善し、断熱性能を向上させるためには、前記第一及び第二の芯材は、可撓性を有し、積層方向に対して垂直な方向に繊維が配向した繊維積層体で構成されるものが望ましい。本発明における繊維としては、無機繊維及び有機繊維が挙げられる。このような構成によれば、積層した第一の芯材と第二の芯材との間に切断面を形成していることにより、繊維の熱伝導をその切断面の部分において遮断することが可能になる。さらに、積層方向に対して垂直な方向にそれぞれの繊維が配列されていることにより、積層方向に関しても熱伝導の抑制効果が発揮される。
【００１１】
真空断熱材の製造過程における圧力変化時に、第二の芯材が第一の芯材の変形により包囲されやすくするためには、前記第一の芯材を一定厚さに圧縮するときの圧縮荷重が、前記第二の芯材を前記一定厚さに圧縮する圧縮荷重よりも大きいことが望ましい。
【００１２】
また、本発明に係る真空断熱材は、ガスバリア性を有する袋状の外被材と、前記外被材の中に収納されスペーサとなる、板状の第一の芯材及び前記第一の芯材に積層される第二の芯材を備え、第一の芯材が凹部を有し、前記第二の芯材が前記第一の芯材の前記凹部に嵌合し得る大きさを有してなる真空断熱材用芯材と、を備え、前記真空断熱材用芯材を前記外被材の中に収納した後に前記外被材内部を略真空状態にして前記外被材を封止してなり、前記真空断熱材用芯材は、前記凹部に前記第二の芯材が嵌合されて積層されることを特徴とする。
【００１３】
加えて、本発明に係る他の真空断熱材は、ガスバリア性を有する袋状の外被材と、前記外被材の中に収納されスペーサとなる、板状の第一の芯材及び前記第一の芯材に積層される第二の芯材を備え、第一の芯材が凹部を有し、前記第二の芯材が前記第一の芯材の前記凹部に嵌合し得る大きさを有し、前記凹部に前記第二の芯材が嵌合されて積層されてなる真空断熱材用芯材と、を備え、前記真空断熱材用芯材を外被材の中に収納した後に減圧下で前記外被材内部を略真空状態にして前記外被材を封止し、前記第一の芯材及び前記第二の芯材を内包して封止された前記外被材を減圧下から大気圧雰囲気中に移して外形を整形することを特徴とする。
【００１４】
このように、真空断熱材を収納した外被材の内部を、減圧下で略真空状態にして外被材を封止し、その真空断熱材を大気圧雰囲気中に移動させることにより、第一の芯材を変形させることができる。これにより、第一の芯材と第二の芯材の凹凸嵌合側において第一の芯材と第二の芯材とを面一にできるとともに、凹凸嵌合側において第一の芯材と第二の芯材との間に存在していた段差を、凹凸嵌合側と背向する側に移行して滑らかにすることができる。これにより、外被材を真空断熱材用芯材の形状に顕著に追従させることができ、外被材にかかるストレスを低減して真空断熱材の断熱性の劣化を抑制して信頼性を向上させることができる。このような真空断熱材を冷蔵庫に適用した場合、段差が滑らかであるので、冷蔵庫の壁内においてウレタンが発泡する際のウレタンの流動性を阻害するものが減少し、ウレタンが未充填となるボイドの発生を抑制することができる。
【００１５】
第一の芯材と第二の芯材との間に生じる段差を滑らかな形状とするためには、前記第二の芯材と積層していない前記第一の芯材の非積層部分を、前記第一の芯材の前記凹部から突出している前記第二の芯材の突出部分が消滅するように変形させて、前記第一の芯材の前記凹部と前記第二の芯材との凹凸嵌合側において前記第一の芯材と前記第二の芯材とを面一にし、前記第一の芯材と前記第二の芯材とを面一にすることにより前記凹凸嵌合側と背向する側において前記第一の芯材が前記非積層部分から第二の芯材との積層部分に向かってなだらかに変化する傾斜面を形成するものが望ましい。
【００１６】
さらに、本発明に係る冷蔵庫は、上記の真空断熱材が、外箱と内箱との間に配設されることを特徴とする。
【００１７】
冷蔵庫における室内温度の相違に対応した断熱性能を確保するためには、冷蔵温度帯に設定される冷蔵室と、冷凍温度帯に設定される冷凍室とを少なくとも有してなり、前記真空断熱材の前記第一の芯材と前記第二の芯材とが積層している厚肉部を前記冷凍室側に配置し、前記真空断熱材の第一の芯材のみで構成される薄肉部を前記冷蔵室側に配置するものが望ましい。
【００１８】
また、冷蔵庫を構成する壁の厚みを、断熱性能を低下させることなく薄くするためには、少なくとも庫内照明、電気基板及び圧縮機またはその収納部を、前記真空断熱材の前記第一の芯材と前記第二の芯材とを積層する部位で前記部位の周囲より厚みが小なる積層薄肉部に対応して外箱及び／又は内箱に形成される収納空間内に配置するものが望ましい。同様に、外箱と内箱の間に存在する突起部分、冷媒配管及び電気配線のいずれか一つ以上を、前記収納空間内に配置するが望ましい。
【００１９】
発泡ウレタンの充填効率を高くするためには、前記真空断熱材が少なくとも側面又は背面に1枚ずつ配設され、前記冷凍室に配置する前記真空断熱材の厚さは前記冷蔵室に配置する前記真空断熱材の厚さより厚いものとし、前記外箱と前記内箱との間に設定される発泡ウレタン流動経路を確保しながら、各室における側面または背面における内箱の外箱側の面のすべてを前記真空断熱材で覆うものが望ましい。この場合、1枚の真空断熱材で厚さを変えているので、２枚以上重ねて配設した場合に比べ、ヒートブリッジによる熱の回り込みを少なくできる冷蔵庫を製造することができる。これにより、断熱性能を向上させることができるとともに、コストアップも抑制することができる。また、断熱性能、コスト、ウレタン流動幅等を考慮し、総合的に効率よく厚さを変更した真空断熱材が適用できるので、エネルギー消費性能を改善することができるとともに、内容積効率を向上させることができる。
【００２０】
本発明に係る真空断熱材の製造方法は、ガスバリア性を有する袋状の外被材に、前記外被材の中に収納されスペーサとなる、板状の第一の芯材及び前記第一の芯材に積層される第二の芯材を備え、第一の芯材が凹部を有し、前記第二の芯材が前記第一の芯材の前記凹部に嵌合し得る大きさを有し、前記凹部に前記第二の芯材が嵌合されて積層されてなる真空断熱材用芯材を挿入する第一ステップと、前記真空断熱材用芯材を前記外被材の中に収納した後に減圧下で前記外被材内部を略真空状態にして前記外被材を封止する第二ステップと、前記第一の芯材及び前記第二の芯材を内包して封止された前記外被材を減圧下から大気圧雰囲気中に移して外形を整形する第三ステップとを備えてなることを特徴とする。
【００２１】
第一の芯材と第二の芯材との間に生じる段差を滑らかな形状とするためには、前記第二の芯材と積層されていない前記第一の芯材の非積層部分を、前記第一の芯材の前記凹部から突出している前記第二の芯材の突出部分が消滅するように変形させて、前記第一の芯材の前記凹部と前記第二の芯材との凹凸嵌合側において前記第一の芯材と前記第二の芯材とを面一にし、前記第一の芯材と前記第二の芯材とを面一にすることにより前記凹凸嵌合側と背向する側において前記第一の芯材が前記非積層部分から前記第二の芯材との積層部分に向かってなだらかに変化する傾斜面を形成するものが望ましい。
【発明の効果】
【００２２】
このような本発明によれば、少なくとも第一の芯材と第二の芯材を積層して、外被材内を真空状態にする作業中の両者の位置ずれを抑えて、部分的に厚みの異なる真空断熱材を容易に製作することができる。
【図面の簡単な説明】
【００２３】
【図１】本発明の真空断熱材用芯材の実施形態の平面図。
【図２】同実施形態の断面図
【図３】同実施形態の製造工程を示す工程図。
【図４】同実施形態を芯材とする真空断熱材の側面図。
【図５】本発明の真空断熱材用芯材の変形実施形態を示す断面図。
【図６】本発明の真空断熱材用芯材の変形実施形態を示す断面図。
【図７】本発明の真空断熱材用芯材の変形実施形態を示す断面図。
【図８】本発明の真空断熱材用芯材の変形実施形態を示す断面図。
【図９】本発明の真空断熱材用芯材の変形実施形態を示す平面図。
【図１０】本発明の真空断熱材用芯材の変形実施形態を示す断面図。
【図１１】本発明の真空断熱材用芯材の変形実施形態を示す断面図。
【図１２】図１０を真空断熱材用芯材とする真空断熱材の側面図。
【図１３】本発明の真空断熱材用芯材の変形実施形態を示す断面図。
【図１４】本発明の真空断熱材用芯材の変形実施形態を示す断面図。
【図１５】本発明の真空断熱材を採用する冷蔵庫の実施形態の正面から見た断面図。
【図１６】同実施形態の側面から見た断面図。
【図１７】本発明の真空断熱材を採用する冷蔵庫の他の実施形態の正面から見た断面図。
【図１８】本発明の真空断熱材を採用する冷蔵庫のさらに他の実施形態の正面から見た断面図。
【発明を実施するための形態】
【００２４】
以下に本発明に係る真空断熱材用芯材の一実施形態について図面を参照して説明する。
【００２５】
（実施形態１）真空断熱材用芯材及び真空断熱材
図1に示す真空断熱材用芯材（以下、芯材と称する）１００の構成について説明する。この芯材１００は、ガスバリア性を有する外被材１の中に収納されてスペーサとなるもので、第一の芯材２と、第一の芯材２より面積の小さい第二の芯材３とからなる。第一及び第二の芯材２、３としては、連通発泡ウレタン等の発泡体、シリカ粉末やアルミナ粉末、ヒュームドシリカ等の粉体、無機繊維や有機繊維等の繊維体等を単独、あるいは複合的に用いることが可能である。特には、第一及び第二の芯材２、３としては、断熱性能の高さや外被材１の追従性の良さ、取り扱い性、作業性の観点から、可撓性を有する無機繊維や有機繊維等の繊維体等を用いることが好ましい。これに対して外被材１は、内部真空を維持するためのガスバリア性が付与されたプラスチックをベースとしたラミネートフィルムを用いる。
【００２６】
空気や水蒸気等の外気から真空断熱材内部への透過を主とする断熱性能劣化を抑制するために、外被材１内部に芯材１００とともに吸着剤４を設置してもよい。吸着剤４を設置する場所は特に限定されるものではないが、例えば、真空断熱材２００の厚肉部となる第一の芯材２と第二の芯材３との積層間に設置し、固定することができる。吸着剤４は複数個を複数個所に設置してもよい。また、複数種類の吸着剤４を用いてもよい。また、図２で示すように、芯材１００の吸着剤収納部において、第一の芯材２を吸着剤４の厚さ分削減してその場所に吸着剤４を保持してもよい。なお、削減される芯材は第一の芯材２、第二の芯材３のどちらでもよく、また両方であってもよい。このように吸着剤４用の収納部を形成することで平面性をより向上できる。
【００２７】
吸着剤４は水分やガスを吸着できるものであれば特に限定されない。適用可能な吸着剤４の一例として、合成ゼオライト（親水性、疎水性）、カーボンナノチューブ、カーボンナノホーン、カーボンナノファイバ、グラファイトナノファイバ等の炭素繊維体、活性炭、シリカゲル等といった、被吸着分子と吸着剤とが物理化学的な親和力で吸着を実現する物理吸着剤や、生石灰をはじめとしたアルカリ土類金属の酸化物（例えば、酸化カルシウム、酸化バリウム、酸化ストロンチウム）、アルカリ金属の酸化物、金属酸化物等のガス吸着剤やバリウム−リチウム合金等の合金といった、主に化学反応によって被吸着分子と吸着剤とが化学結合することにより吸着を実現する化学反応型吸着剤を用いる。公知の吸着剤を単独あるいは併用して適用しても良い。また、形状はペレット、ビーズ、パウダ等、特に限定されるものではない。
【００２８】
また、芯材１００に無機繊維や有機繊維等の繊維体を用いる場合、外被材１へスムーズに挿入できるように作業性を改善することを目的に、繊維体を一次圧縮することが好ましい。その方法の一例として、ホウ酸やフェノール等のバインダや水を用い、芯材１００になる繊維体を加熱圧縮して圧縮形状を保持する方法や、バインダを用いずに、ポリエチレンやポリプロピレン等の熱溶着可能な熱可塑性樹脂のフィルムによる内袋に繊維体を収納し、圧縮して脱気しながらフィルムの周縁部をすべて熱溶着して圧縮形状を保持する方法等がある。バインダを用いない場合は、繊維の柔軟性をより大きくできる。内袋を用いて一次圧縮する場合は、真空排気の直前に内袋の口を開口する。また、第一の芯材２と第二の芯材３とになる繊維体のそれぞれを、熱可塑性樹脂のフィルムすなわち内袋を用いて圧縮保持し、得られた第一の芯材２及び第二の芯材３を積層して使用するものでもよい。また、このような一次圧縮は、第一の芯材２に第二の芯材３を積層する前でも後でもよい。また、第一の芯材２および第二の芯材３はそれぞれ1層でも２層以上で構成されていてもよいが、積層の切れ目つまり切断面を設けることで、芯材間の伝熱がより分断可能であることから、２層以上で構成されていることが好ましい（図２にその状態を拡大して図示する）。
【００２９】
芯材１００として用いられる繊維体の一例として、グラスウール、シリカアルミナ繊維、シリカ繊維、アルミナ繊維、セラミック繊維、ロックウール等の無機繊維やポリエチレンテレフタレート繊維（ＰＥＴ繊維）に代表されるポリエステル繊維、ポリスチレン繊維、アクリル繊維、ポリエチレン繊維、ポリプロピレン繊維、ナイロン繊維、ポリビニルアルコール繊維、ポリウレタン繊維、レーヨン繊維等の合成有機繊維、麻、絹、綿、羊毛等の天然有機繊維等からなるものが挙げられる。繊維は短繊維であっても長繊維であってもよいが、断熱性能面から短繊維が好ましい。無機繊維及び有機繊維は単独あるいは複合的に用いることが可能であり、第一の芯材２に無機繊維、第二の芯材３に有機繊維を用いたり、あるいはその逆として用いる等、組み合わせてもよい。もちろん、第一の芯材２、第二の芯材３ともに無機繊維のみ、または有機繊維のみという構成であってもよい。
【００３０】
芯材１００に適用する無機繊維の内、好ましいものは平均繊維径が１〜６μｍのグラスウールである。断熱性能面、コスト面の観点から、平均繊維径の特に好ましい範囲としては、３〜５μｍである。密度は特に限定されるものではないが、１５０〜３００ｋｇ／ｍ３のものが用いられる。また、繊維の製法は、火炎法、遠心法等があるが、特に限定されない。
【００３１】
外被材１は、プラスチックをベースとしたラミネートフィルムであり、２〜５層あるいはそれ以上の単層フィルムが貼り合わさった構成となっている。ラミネート層数やフィルム種類（材質）、組み合わせは内部真空を維持するためのガスバリア性が維持されるものであれば特に限定されない。具体的構成としては、外層より、リーク（真空破壊）を防止するための表面保護層、ガスバリア性を付与するためのガスバリア層、封止のための熱溶着層とで構成される。構成の一例を挙げると、表面保護層をポリアミド（ＰＡ）、ガスバリア層をアルミニウム蒸着されたポリエチレンテレフタレート（ＰＥＴ）およびアルミニウム（ＡＬ）箔、熱溶着層を高密度ポリエチレン（ＨＤＰＥ）とした４層のラミネートフィルムがある。表面保護層として、ポリアミドの代わりに吸湿性の小さい二軸延伸したポリプロピレン（ＯＰＰ）やポリエチレンテレフタレートを用いて断熱性能を改善したり、ガスバリア層として、ヒートブリッジ低減を目的にアルミニウム箔の代わりにアルミニウム蒸着されたエチレン−ビニルアルコール共重合体（ＥＶＯＨ）やアルミニウム蒸着されたポリビニルアルコール（ＰＶＯＨ）を用いて断熱性能を改善したり、熱溶着層として、高密度ポリエチレンの代わりに中密度ポリエチレン（ＭＤＰＥ）、低密度ポリエチレン（ＬＤＰＥ）、直鎖状低密度ポリエチレン（ＬＬＤＰＥ）、無延伸ポリプロピレン（ＣＰＰ）、ポリブチレンテレフタレート（ＰＢＴ）を用いたりしてもよい。また、蒸着はステンレス蒸着（ＳＵＳ）等の金属蒸着やシリカ蒸着等の無機酸化物蒸着であってもよく、蒸着面を外被材のどちらの向きに向けるかについては限定されない。フィルム厚さは断熱性能やコストの観点からプラスチックフィルムは各１０〜５０μｍ程度、アルミニウム箔は６〜１２μｍ程度、蒸着膜は０．０４〜０．１２μｍ程度とし、外被材厚さを６０〜１２０μｍとするのが好ましい。ラミネート各層は二液硬化型ウレタン接着剤等での貼り合わせによるドライラミネートや溶融したポリエチレン等での貼り合わせによる押し出しラミネート等があるが、接着剤種類や貼り合わせ方法は特に限定されない。また、表面保護層の外側に対し、コロナ放電処理、フレーム処理、プラズマ処理等による外被材の表面処理を行ってもよく、これにより真空断熱材と、接着剤や発泡ウレタンとの接着力を改善できる。
【００３２】
外被材１は２枚のラミネートフィルムの熱溶着層同士を向かい合わせて熱溶着されることで貼りあわされる。外被材１の熱溶着幅は特に限定されるものではなく、外被材１の内、芯材１００が含まれない周縁部の一部または全部が溶着されていてもよいが、フィルム端面からのガス侵入抑制と、断熱性を持たない周縁部をなるべく小さくすることを両立するための好ましい範囲は１０〜２０ｍｍである。
【００３３】
外被材１を構成する２枚のラミネートフィルムの組み合わせは、金属箔を含むフィルム２枚（両面箔仕様）、金属箔を含まず蒸着のみを含むフィルム２枚（両面蒸着仕様）、金属箔を含むフィルムと金属箔を含まず蒸着のみを含むフィルム各１枚（箔・蒸着仕様）のいずれであってもよい。
【００３４】
また、外被材１は、芯材１００が含まれない周縁部を折り返し、芯材１００が含まれる位置に重ね合わせて固定してもよい（耳折りと称する）。固定手段は、セロハンテープ、両面テープ、ホットメルト等の接着剤等が利用可能である。また、折り返しの向きは特に限定されることはなく、箔側でも蒸着側でもよく、段差側でも平面側でもよい。真空断熱材を冷蔵庫に貼りつける際は、折り返しの向きを貼りつけ側とは反対に折り返すのが好ましい。
【００３５】
本発明の実施形態に係る芯材１００及びその芯材１００を用いる真空断熱材２００の実施例について、以下記載する。
【００３６】
（実施例１）
【００３７】
本実施形態で述べた作製方法による真空断熱材の各材料構成の適切な選定の一例は、次の通りである。外被材１は、ポリアミド（１５μｍ）、アルミニウム蒸着（厚さ約５０ｎｍ）したポリエチレンテレフタレートフィルム（１２μｍ）、アルミニウム蒸着（厚さ約５０ｎｍ）したエチレン−ビニルアルコール共重合体フィルム（１２μｍ）、高密度ポリエチレンフィルム（５０μｍ）をドライラミネートして貼り合わせたラミネートフィルムによる両面蒸着仕様であり、芯材１００は平均繊維径約４μｍの短繊維グラスウールであり、吸着剤４は通気性のある包装材に収納される生石灰である。尚、芯材１００はバインダや水を用いて加熱加圧し、一次圧縮して、板状に整形する。
【００３８】
下地となる第一の芯材２を切削または部分的に第一の芯材２の目付量を低減する等して、第一の芯材２の厚みに垂直な方向の面積より小さな四角形の底面の窪み５すなわち凹部を形成し、この窪み５の底面の面積と同じ面積であり同じ形状つまり直方体形状をした第二の芯材３を第一の芯材２の窪み５に嵌合するように重ね合わせて積層する。これにより、第二の芯材３は移動不能に第一の芯材２と合体し、接着剤等を使用することなく、作業時に積層した第一及び第二の芯材２、３のズレを抑制できるので、寸法精度や作業性が向上する。また、接着剤を使用しなくて済むので、コストが上がらないだけでなく、接着剤由来の有機溶剤系の発ガスによる真空断熱材２００の真空度悪化が無いので、断熱性能の劣化を抑制できる。また、芯材１００の端部の辺と連続しない第一の芯材２の窪み５の四辺（以上）に第二の芯材３が接するようにすることで第二の芯材３を挟持し、固定できる。
【００３９】
また、図２で示すように、第二の芯材３を第一の芯材２の窪み５に積層することで、第一の芯材２と第二の芯材３の間に積層の切れ目６すなわち切断面を有する構造となることから、繊維の固体熱伝導の遮断により断熱性能を向上できる。また、第二の芯材３の高さｄ２より、第一の芯材２の窪み５の高さｄ１を大きくする。これにより、部分的に厚さの厚い真空断熱材２００を作製可能である。第一の芯材２の窪み５の深さや各芯材２、３の厚さ（高さ）については特に限定されないが、第一の芯材２の窪み深さが小さすぎると積層した第二の芯材３の固定が難しくなり、窪み深さが大きすぎると第二の芯材３の固定は改善するが、所望の厚さを得るために第二の芯材３の厚さを厚くしないといけなくなるため、コストアップの要因となり得る。したがって、第一の芯材２の窪み５の深さは０．５〜５ｍｍ程度（真空断熱材時）とするのが断熱性能やコスト面から好ましい。また、各芯材２、３の厚さ（高さ）は１〜２０ｍｍ程度（真空断熱材時）とするのが、断熱性能や作業性、芯材１００および外被材１の追従性等から好ましい。
【００４０】
この状態で芯材１００を乾燥炉等を用いて乾燥し、芯材１００に付着している水分やガスを脱離させる。この後、第一の芯材２と第二の芯材３の間に吸着剤４を挿入する。続いて、あらかじめ乾燥炉または真空乾燥炉等で乾燥した、三辺が熱溶着されて袋状になっている外被材１に、積層した芯材１００を挿入し、真空チャンバにセットして真空排気する。次に、適切な真空度に到達したら、真空排気しながら外被材１における熱溶着されていない残りの一辺を熱溶着して封止する。その後、大気開放、つまり真空チャンバ内を大気圧にする。つまり、外被材１を封止した状態の真空断熱材２００を実質的に、減圧下より大気圧雰囲気に移すものである。
【００４１】
これにより、図３で示すように、芯材１００の可撓性と大気からの圧力によって芯材１００の第一の芯材２と第二の芯材３との積層部分により形成されていた段差７が元の段差側、すなわち窪み（凹部）５が形成されていた側とは反対側に転写され、元の段差７側は平面になることで、第一の芯材２の非積層部分から積層部分に向かって滑らかな形状をした段差８（傾斜面）を形成できる。第一の芯材２の窪み５に第二の芯材３を重ね合わせて積層する構造となっているので、大気解放時の応力による芯材１００のズレを抑制できる。このようにすることで、外被材１の芯材１００に対する追従性を改善できるので、材料歪み等のストレスの低減による真空断熱材の断熱性能劣化の抑制や信頼性の向上（不良低減）ができるとともに、これを冷蔵庫に適用した際に、段差部形状の滑らかさにより、ウレタン発泡時のウレタン流動阻害によるボイド（ウレタン未充填部）の発生を抑制できる。
【００４２】
このようにして、断熱性能が高く、寸法精度や作業性がよく、信頼性が高く、段差部が滑らかな形状となった、部分的に厚さの異なる真空断熱材２００（図４）を得ることができる。
【００４３】
その他、同様の方法にて作製可能な真空断熱材２００の一例（芯材１００の積層の一例）を図５〜１４に示す。なお、以下のそれぞれの実施例の説明において、上記実施例１と同じ構成要素については同じ符号を付して説明する。図５のものは、上記実施例１のものを第一の芯材２と同面積の芯材を第一の芯材２に重ね合わせその間に繊維の切れ目６を形成して実質的に三層構造にした例である。図６のものは、第二の芯材３を、第一の芯材２の長手方向の略中央において積層した例である。図７のものは、第一の芯材２に、離間する二か所に窪み５を形成し、それぞれの窪み５、５に同一の厚みの第二の芯材３を嵌合させる例である。
【００４４】
図８のものは、第一の芯材２に形成した窪み５に第二の芯材３を嵌合し、積層方向に垂直な方向の面積が第二の芯材３より面積に小さい第三の芯材９を、第二の芯材２に形成した窪み５に嵌合して、三層構造とした例である。すなわち、この図８の例では、第一の芯材２の上に積層した第二の芯材３に対し、第二の芯材３の面積より小さな四角形の窪み５を形成し、この窪み５と同じ面積であり同じ形状をした第三の芯材９を第二の芯材３の窪み５に嵌合するように重ね合わせて積層することもできる。また、同様に第三の芯材９の上に更に芯材を重ねていくこともできる。このようにすることで、階段状に厚さの異なる真空断熱材２００を作製可能となり、断熱容器や冷蔵庫等で外箱と内箱との間に適用する場合において、突起部分や配管、配線等を回避できる。また、真空断熱材２００の厚さを柔軟に変えることができるので、一定以上のウレタン流動経路を確保しやすくなり、断熱性能向上と共にボイド（ウレタン未充填部）発生の抑制、ウレタン密度の均一化をすることができる。
【００４５】
上述の重ね合わせ構造以外に、図９のもののように、第一の芯材２および第二の芯材３のそれぞれが四角形以外の多角形の形状をしていてもよい。このような形状にすることにより、断熱容器や冷蔵庫等の表面積に対する真空断熱材２００の被覆面積（被覆率）をより大きくできるので、それらの断熱性能を向上できる。
【００４６】
（実施例２）
【００４７】
実施例1で述べた材料構成、作製方法と同じであるが、図１０及び図１１に示すように、第二の芯材３の高さｄ２より第一の芯材２の窪み５の高さｄ１を大きくする。これにより、部分的に厚さの薄い真空断熱材２００（図１２）を作製可能である。また、第二の芯材３における芯材の積層を３層以上とし、少なくとも１つ以上の積層の切れ目６が、第一の芯材２の窪み５の底面より低い位置になるようにすれば、底面部からの厚さ方向の伝熱を分断できるため、更に真空断熱材の断熱性能を向上できる。このようにして、断熱性能が高く、寸法精度や作業性がよく、信頼性が高く、段差部が滑らかな形状となった、部分的に厚さの異なる真空断熱材を得ることができる。
【００４８】
実施例１と同様に、第一の芯材２および第二の芯材３のそれぞれが四角形以外の多角形の形状をしていてもよく、これにより、断熱容器や冷蔵庫等の表面積に対する真空断熱材の被覆面積（被覆率）をより大きくできるので、それらの断熱性能を向上できる。
【００４９】
上述した第二の芯材３を三層以上にする例の具体的なものとして図１３のように、第一の芯材２の上に積層した第二の芯材３ａに対し、第二の芯材３ａの面積より小さな四角形の窪み５を形成し、この窪み５と同じ面積であり同じ形状をした小寸法の第二の芯材３ｂを第二の芯材３の窪み５に嵌合するように重ね合わせて積層することもできる。また、同様に小寸法の第二の芯材３ｂの上に更に芯材を重ねていくこともできる。このようにすることで、階段状に厚さの異なる真空断熱材２００を作製可能となり、断熱容器や冷蔵庫等で外箱と内箱との間に適用する場合において、突起部分や配管、配線等を回避できる。また、真空断熱材２００の厚さを柔軟に変えることができるので、一定以上のウレタン流動経路を確保しやすくなり、断熱性能向上と共にボイド（ウレタン未充填部）発生の抑制、ウレタン密度の均一化をすることができる。
【００５０】
（実施形態２）冷蔵庫
【００５１】
図１５及び図１６に示す冷蔵庫３００の構成について説明する。この冷蔵庫３００は、少なくとも外箱１０、内箱１１、扉１２、発泡硬質ウレタン１３、真空断熱材２００、冷凍サイクルを構成する蒸発器１４、圧縮機１５、電気基板および電気配線（ともに図示しない）とで構成される。外箱１０と内箱１１との間の壁となる空間の適所に冷凍サイクルにおける冷媒配管の一部や電気配線の一部、真空断熱材２００がそれぞれ配設される。それ以外の空間のすべてが発泡された硬質ウレタンまたは発泡ポリスチレン等の断熱材で充填されている。それぞれの材質や基材厚さは特に限定されることはなく、例えば、外箱１０は鉄やステンレス等、内箱１１はアクリロニトリル−ブタジエン−スチレン共重合体（ＡＢＳ）等、冷媒配管は銅やアルミニウム等、冷媒はＲ１３４ａ、Ｒ６００ａ等が使用可能である。
【００５２】
冷蔵庫３００は、冷蔵温度帯に設定される冷蔵室１６と、冷凍温度帯に設定される冷凍室１７とを有している。それ以外にも任意の温度に設定される室があってもよい。それぞれの室は適切な断熱性を持った仕切り３０で区切られている。また、それぞれの室の前面には回転式の扉１２または引き出し式の扉が設置される。扉１２には冷蔵庫３００を密閉するためのパッキンが取り付けられており、また、熱漏洩抑制及び結露防止のため、扉１２は適切な断熱性を有する。引き出し式の扉１２には食品等を収納する容器が取り付けられており、扉１２を引き出すことで収納容器が引き出される。各室内部は扉部分に食品等を収納可能なドアポケットを有していたり、室内を仕切る棚やトレイ等が設置されている。また、製氷機が庫内に設置されていたり、アイスディスペンサーを冷蔵庫３００前面に備えていてもよい。
【００５３】
冷凍サイクルは圧縮機１５、凝縮器、蒸発器１４、キャピラリーチューブ、ドライヤ、アキュムレータ等で構成され、これらが配管で結合されてサイクルを構成している。基本的には圧縮機１５、凝縮器、キャピラリーチューブ、蒸発器１４の順に冷媒が循環し、蒸発器１４から圧縮機１５に冷媒が戻る。また、キャピラリーチューブの手前にドライヤが取り付けられることで、水分除去や詰まり防止を図ったり、蒸発器１４と圧縮機１５の間にアキュムレータが取り付けられることで、液体状態の冷媒が圧縮機１５内部に吸い込まれないようにする。
【００５４】
圧縮機１５および凝縮器は放熱促進用のファンと共に機械室に設置され、蒸発器１４は庫内背面の適切な位置に設置される。キャピラリーチューブは機械室に出しておくが、発泡ウレタン１３内部に埋設されていてもよい。また、凝縮器とキャピラリーチューブの間には冷媒が更に放熱するための放熱パイプが接続されており、放熱パイプは外気への放熱のため、冷蔵庫３００の外箱１０内側表面や仕切り前面部内側等に接触して配設される。配設方法は特に限定されないが、放熱促進のためアルミニウムテープ等で貼りつけて固定する。放熱パイプの長さや形状は、冷媒が十分に放熱できるようになっていればよい。
【００５５】
蒸発器１４の上にはファン（送風機）が設置され、蒸発器１４により冷却された空気を循環させ、冷蔵庫３００の庫内を冷却する。蒸発器１４を設置した室と他の室をダクト等で連結してもよい。また、ダンパ等によりダクトを開閉し、室内の温度調整をしてもよい。
【００５６】
蒸発器１４の数は特に限定されるものではないが、省エネ性能（低消費電力量）やコスト、内容積効率を総合的に考慮すると、冷凍室１７に1台、冷蔵室１６に１台の合計２台であることが好ましい。冷凍サイクル内に弁等を取り付けることにより冷媒を分岐することで、これを実現できる。また、蒸発器１４のサイズ、フィンの数や形状、配管長さ等は室内を目的の温度帯に設定できるものであれば特に限定されない。
【００５７】
また、冷蔵庫３００には底面や背面等にウレタン注入のための穴である注入口が設けられており、内箱１１の適切な個所にウレタン発泡時のガス抜き用の穴が設けられる。注入口やガス抜き用の穴の数、大きさについては特に限定されないが、例えば、冷蔵庫３００背面に４か所の注入口を設けてウレタン発泡を行うと、充填性が良く、ウレタン密度も均一化しやすいので、品質向上が可能である。
【００５８】
また、冷蔵庫３００の室内上部には照明が取り付けられている。照明の種類は特に限定されず、蛍光灯や発光ダイオード（ＬＥＤ）等が使用可能である。また、照明の色は白、青、橙等、庫内を見やすくできるものであればよい。
【００５９】
冷蔵庫３００への真空断熱材２００の配設位置としては、外箱１０への貼りつけ、内箱へ１１の貼りつけ、外箱１０と内箱１１の間に設置のいずれでもよく、またこれらを組み合わせてもよい。貼りつけ手段は両面テープやホットメルト等の接着剤、粘着剤等を用いればよく、特に限定されない。また、ホットメルトの塗布方法にはビード、ロールコート、バーコート、スパイラル等があるが、接着力が十分であれば特に限定されず、適宜選択する。
【００６０】
（実施例３）
【００６１】
実施例１で得られる図４の真空断熱材２００と、図１２の真空断熱材２００とを以下に述べるように冷蔵庫に適用する。なお、実施例１及び実施例２と同じ構成要素については、同じ符号を付して説明する。
【００６２】
冷蔵庫３００は冷蔵温度帯に設定される冷蔵室１６と、冷凍温度帯に設定される冷凍室１７とを有しており、上から冷蔵室１６、冷凍室１７という配置になっている。冷凍室１７では外気との温度差が冷蔵室１６より大きくなるので、断熱性能確保のため、外箱１０と内箱１１との間の厚さ（壁厚）は冷蔵室１６より冷凍室１７の方が厚くされる。使い勝手を考慮し、冷蔵室１６の前面には断熱性を持った回転式の扉１２が2枚設置され、観音開きで扉１２が開くようになっている（フレンチドア）。また、冷凍室１７の前面には断熱性を持った引き出し式の扉１２が設置される。各扉１２、１２には冷蔵庫１６を密閉するためのパッキンが取り付けられている。蒸発器１４は冷凍室１７背面に1台、冷蔵室１６背面に1台の合計２台を備えている。また、冷蔵室１６の室内上部は内箱形状が窪んで収納空間が形成されて照明１８が取り付けられるようになっており、発光ダイオード（ＬＥＤ）の照明ユニットがそこに取り付けられている。
【００６３】
このような冷蔵庫３００において、真空断熱材２００を以下のように配設する。
【００６４】
実施例1で得られる図４の部分的に厚さの厚い真空断熱材２００を冷蔵庫側面および背面に適用する。その際、真空断熱材２００の厚肉部２００ａを冷凍室１７に配置し、真空断熱材２００の薄肉部２００ｂを冷蔵室１６に配置する。特に蒸発器１４の背面をすべて真空断熱材２００で覆われるようにするとよい。また、冷凍室１７の内壁の投影面を真空断熱材２００の厚肉部２００ａですべて覆われるように配設すると、より断熱性能を向上できるので、壁厚が低減可能であり、内容積向上に貢献する。冷蔵室１６の内壁の投影面も真空断熱材２００ですべて覆うようにすると、より効果的である。このように、壁厚の大きい冷凍室部分における真空断熱材２００の厚さを冷蔵室１６に比べ厚くすることで、ウレタン流動経路を確保しながら、より高い断熱性能を得ることができる。
【００６５】
冷蔵庫３００への真空断熱材２００の配設は、外箱１０内側にホットメルトをビード方式で塗布し、真空断熱材２００の段差のない平面側を外箱に貼りつけることで行う。真空断熱材２００の接着力を更に改善するため、外箱１０となる板材へ貼り合わせた直後に真空断熱材２００を押しつけるが、押し付けは手作業等でもよい。作業コスト低減や量産性を改善するため、コンベヤで外箱１０と真空断熱材２００の一体品を流しながら上からローラ等で押し付けてもよく、真空断熱材２００の厚さの異なる部分における段差が滑らかになっているため、スムーズにムラ無くローラで押すことができる。また、段差部におけるローラの引っかかり等に起因する一体品のコンベヤ上での位置ずれや、機械停止等を抑制できるので、作業効率を改善できる。
【００６６】
また、図１２に示す、部分的に厚さの薄い真空断熱材２００を冷蔵庫天井面に適用する。その際、真空断熱材２００の積層薄肉部２００ｃを、照明１８を取り付けるための内箱１１の窪み形状（収納空間）に沿って覆って配置する。また、冷蔵室３００の内壁１１の投影面を真空断熱材２００の非積層厚肉部２００ｄですべて覆われるように配設すると、より断熱性能を向上できるので、壁厚が低減可能であり、内容積向上に貢献する。
【００６７】
冷蔵庫３００への真空断熱材２００の配設は、真空断熱材２００の段差側を両面テープで内箱１１の外箱１０側の面に貼りつけることで行う。真空断熱材２００の接着力を更に改善するため、内箱１１へ貼り合わせた直後に真空断熱材２００を押しつけるが、押し付けは手作業等でもよい。真空断熱材２００の貼りつけ面との反対側は段差のない平面となっているので、ウレタン流動のための隙間を一定に確保することができる。
【００６８】
また、図示しないが、底面、扉、仕切り等に真空断熱材を適用することで更に断熱性能を向上することができる。適用する真空断熱材は本発明における実施例に示したもの以外に、段差のないパネル状の真空断熱材、他の公知のものを組み合わせてもよい。このようにして、断熱性能や省エネ性能に優れた冷蔵庫を得ることができる。
【００６９】
（実施例４）
【００７０】
図１７を例に本発明による冷蔵庫３００の実施例について説明する。実施例３に記載の冷蔵庫３００において、電気基板２０が冷蔵庫天井部に配設されている。冷蔵庫天井部は電気基板２０を収納するための窪み（収納空間）２１を有しており、窪み２１の上には電気基板２０を収納するための上カバー２２が取り付けられている。また、収納された電気基板２０の上に上カバー２２が設けられることで電気基板２０が密閉されている。このような冷蔵庫３００において、真空断熱材２００を以下のように配設する。
【００７１】
実施例２で得られる図１０の部分的に厚さの薄い真空断熱材２００を冷蔵庫天井面に適用する。その際、真空断熱材２００の薄肉部２００ｂを、電気基板２０を収納するための窪み形状に沿って覆って配置する。また、冷蔵室１６の内壁の投影面を真空断熱材２００の厚肉部２００ａですべて覆われるように配設すると、より断熱性能を向上できるので、壁厚が低減可能であり、内容積向上に貢献する。また、真空断熱材２００の貼りつけ面との反対側は段差のない平面となっているので、ウレタン流動のための隙間を一定に確保することができる。このように発熱量の大きい電気基板２０を、ウレタン流動経路を確保しながら、真空断熱材２００で覆って配置することで、庫内への熱侵入を抑制できるので、断熱性能や省エネ性能に優れた冷蔵庫を得ることができる。
【００７２】
（実施例５）
【００７３】
図１８を例に本発明による冷蔵庫２００の実施例について説明する。実施例３または４に記載の冷蔵庫において、冷蔵室１６と冷凍室１７の他に、冷蔵温度帯に設定される野菜室２３を有しており、上から冷蔵室１６、冷凍室１７、野菜室２３という配置になっている。このような配置にすると、温度が最も低くなる冷凍室１７と温度が最も高くなる機械室２４とが野菜室２３によって隔離される構造となるため、機械室２４や外気からの庫内への熱漏洩量が低減し、断熱性能を向上できるが、室の配置については特に限定されない。また、野菜室２３では外気との温度差が冷凍室１７より小さくなるので、野菜室２３における壁厚は冷凍室１７より薄く、冷蔵室１６と同等にされる。野菜室２３の前面には断熱性を持った引き出し式の扉１２が設置される。また、各扉１２には冷蔵庫１６を密閉するためのパッキンが取り付けられている。蒸発器１４は冷凍室背面に1台、冷蔵室背面に1台の合計２台を備えており、冷凍室１７と野菜室２３はダクトにより空間が連通し、冷凍室１７の冷気が野菜室２３へ流入するようになっている。このような冷蔵庫３００において、真空断熱材２００を以下のように配設する。
【００７４】
実施例1で得られる図４の部分的に厚さの厚い真空断熱材２００を冷蔵庫３００側面および背面に適用する。その際、真空断熱材２００の厚肉部２００ａを冷凍室１７に配置し、真空断熱材２００の薄肉部２００ｂを冷蔵室１６および野菜室２３に配置する。特に蒸発器１４の背面をすべて真空断熱材２００で覆われるようにするとよい。また、冷凍室１７の内壁の投影面を真空断熱材２００の厚肉部２００ａですべて覆われるように配設すると、より断熱性能を向上できるので、壁厚が低減可能であり、内容積向上に貢献する。冷蔵室１６および野菜室２３の内壁の投影面も真空断熱材ですべて覆うようにすると、より効果的である。このようにして、断熱性能や省エネ性能に優れた冷蔵庫３００を得ることができる。
【００７５】
なお、本発明は前記実施形態に限られるものではない。
【００７６】
上記の各実施例にあっては、第一の芯材に窪みを形成して、その窪みに第二の芯材３を嵌合させるものを説明したが、第二の芯材に窪みを形成し、その窪みに第一の芯材に形成する凸部あるいは突起を嵌合する構成であってもよい。つまり、本発明にあっては、積層する第一、第二等の芯材のいずれかに窪みつまり凹部を形成した場合、その芯材に積層する芯材に凸部を形成し、凹部と凸部とを嵌合させることにより両芯材を凹凸嵌合させて積層するものである。従って、そのような凹部と凸部とを形成することが可能であるなら、積層する芯材の枚数は制限されない。従って、所望の部分的に厚みの異なる真空断熱材用芯材及びその芯材を用いた真空断熱材を、精度よく製造することができる。
【００７７】
その他、本発明は、その趣旨を逸脱しない範囲で種々の変形が可能であることは言うまでもない。
【符号の説明】
【００７８】
１００・・・真空断熱材用芯材
２００・・・真空断熱材
３００・・・冷蔵庫
１・・・外被材
２・・・第一の芯材
３・・・第二の芯材
５・・・窪み（凹部）
【図１】
2013119878.tif 000003
【図２】
2013119878.tif 000004
【図３】
2013119878.tif 000005
【図４】
2013119878.tif 000006
【図５】
2013119878.tif 000007
【図６】
2013119878.tif 000008
【図７】
2013119878.tif 000009
【図８】
2013119878.tif 000010
【図９】
2013119878.tif 000011
【図１０】
2013119878.tif 000012
【図１１】
2013119878.tif 000013
【図１２】
2013119878.tif 000014
【図１３】
2013119878.tif 000015
【図１４】
2013119878.tif 000016
【図１５】
2013119878.tif 000017
【図１６】
2013119878.tif 000018
【図１７】
2013119878.tif 000019
【図１８】
2013119878.tif 000020